(57)【要約】【課題】抜き取ったステープラー針を収納し又は保持することにより、壁等の垂直面に打ち込まれたステープラー針を抜き取ったときでも該ステープラー針が落下し、床面等に散乱するという問題を生じさせないようにしたステープラー針抜取り装置を提供する。【解決手段】ステープラー針３を収納するための収納容器１にはステープラー針を抜き取るための爪片５を備えさせ、該収納容器における該爪片の近傍には該爪片により抜き取られたステープラー針を収納容器内に入れるための入口透孔７を形成し、該収納容器にはステープラー針を取り出すための開閉自在の取出し口９を設け、更に該収納容器には該収納容器内に入ったステープラー針を該収納容器内に保持するための保持手段を備えさせたことを特徴とするステープラー針抜取り装置。【選択図】図１
2008100291.tif 000002
【特許請求の範囲】
【請求項１】
ステープラー針を収納するための収納容器にはステープラー針を抜き取るための爪片を備えさせ、該収納容器における該爪片の近傍には該爪片により抜き取られたステープラー針を収納容器内に入れるための入口透孔を形成し、該収納容器にはステープラー針を取り出すための開閉自在の取出し口を設け、更に該収納容器には該収納容器内に入ったステープラー針を該収納容器内に保持するための保持手段を備えさせたことを特徴とするステープラー針抜取り装置。
【請求項２】
前記保持手段として、前記収納容器内に入ったステープラー針が入口透孔に戻ることを防止するための仕切板を該収納容器内に配設したことを特徴とする請求項１に記載のステープラー針抜取り装置。
【請求項３】
前記保持手段として、前記収納容器内に入ったステープラー針を吸着する永久磁石を該収納容器に着脱自在に配設したことを特徴とする請求項１に記載のステープラー針抜取り装置。
【請求項４】
前記収納容器の内側又は外側における前記永久磁石を配設すべき位置に磁性体を固定したことを特徴とする請求項３記載のステープラー針抜取り装置。
【請求項５】
前記永久磁石は一端を収納容器に固定した紐体を介して着脱自在に配設したことを特徴とする請求項３又は４に記載のステープラー針抜取り装置。
【請求項６】
前記爪片は相互に異なる方向に複数個備えさせ、各爪片の近傍には該爪片により抜き取られたステープラー針を収納容器内に入れるための入口透孔をそれぞれ形成したことを特徴とする請求項１〜５のいずれかに記載のステープラー針抜取り装置。
【発明の詳細な説明】
【技術分野】
【０００１】
本発明は、ステープラー針抜取り装置に関するものであり、更に詳しくは、壁等の垂直面に打ち込まれたステープラー針（ステープル）を抜き取るためのステープラー針抜取り装置に係るものである。
【０００２】
本出願において、「被止着物」とは、ステープラーにより止着される書類、紙片等のものをいう。
【背景技術】
【０００３】
実用新案登録第３０３５８５８号公報は、中央に切欠部を備えた針起こしの上方中央に針押さえを配設してなるステープラー針抜取り装置（以下「従来のステープラー針抜取り装置」という。）を開示している。
【特許文献１】実用新案登録第３０３５８５８号公報
【発明の開示】
【発明が解決しようとする課題】
【０００４】
従来のステープラー針抜取り装置は、被止着物から抜き取ったステープラー針を収納し又は保持する手段を備えていない。従って、壁等の垂直面に打ち込まれたステープラー針を従来のステープラー針抜取り装置により抜き取ったときには、抜き取れられたステープラー針が落下し、床面等に散乱するという問題が生ずる。床面等に散乱したステープラー針を回収する作業は面倒であり、しばしば回収もれが生ずる。
【０００５】
本発明は、従来のステープラー針抜取り装置における上述の如き問題を解決し、抜き取ったステープラー針を収納し又は保持することにより、壁等の垂直面に打ち込まれたステープラー針を抜き取ったときでも該ステープラー針が落下し、床面等に散乱するという問題を生じさせないようにしたステープラー針抜取り装置を提供しようとしてなされたものである。
【課題を解決するための手段】
【０００６】
上記課題を解決するために、本発明は、下記のステープラー針抜取り装置を提供する。
【０００７】
（１）ステープラー針を収納するための収納容器にはステープラー針を抜き取るための爪片を備えさせ、該収納容器における該爪片の近傍には該爪片により抜き取られたステープラー針を収納容器内に入れるための入口透孔を形成し、該収納容器にはステープラー針を取り出すための開閉自在の取出し口を設け、更に該収納容器には該収納容器内に入ったステープラー針を該収納容器内に保持するための保持手段を備えさせたことを特徴とするステープラー針抜取り装置（請求項１）。
【０００８】
（２）前記保持手段として、前記収納容器内に入ったステープラー針が入口透孔に戻ることを防止するための仕切板を該収納容器内に配設する（請求項２）。
【０００９】
（３）前記保持手段として、前記収納容器内に入ったステープラー針を吸着する永久磁石を該収納容器に着脱自在に配設する（請求項３）。
【００１０】
（４）前記収納容器の内側又は外側における前記永久磁石を配設すべき位置に磁性体を固定する（請求項４）。
【００１１】
（５）前記永久磁石は一端を収納容器に固定した紐体を介して着脱自在に配設する（請求項５）。
【００１２】
（６）前記爪片は相互に異なる方向に複数個備えさせ、各爪片の近傍には該爪片により抜き取られたステープラー針を収納容器内に入れるための入口透孔をそれぞれ形成する（請求項６）。
【発明の効果】
【００１３】
［請求項１の発明］
壁等の垂直面に打ち込まれたステープラー針を爪片により抜き取ったときには、抜き取れられたステープラー針は入口透孔を通って収納容器内に入り、保持手段により該収納容器内に保持される。従って、抜き取ったステープラー針が落下し、床面等に散乱するという問題は解消する。
【００１４】
収納容器内に溜まったステープラー針は、収納容器の取出し口を開いて適宜取り出すことができる。なお、壁等の垂直面に打ち込まれたステープラー針に爪片を係止させることにより、ステープラー針抜取り装置を該垂直面に取り付けておくことも可能である。
【００１５】
［請求項２の発明］
収納容器内に入ったステープラー針は、仕切板により入口透孔に戻ることが防止されるため、該ステープラー針が入口透孔より落下するおそれはない。
【００１６】
［請求項３の発明］
収納容器内に入ったステープラー針は、永久磁石により吸着されるため、該ステープラー針が入口透孔より落下するおそれはない。永久磁石は収納容器に着脱自在に配設されているため、該永久磁石を収納容器から取り外したときには、収納容器内のステープラー針を取出し口から容易に取り出すことができる。
【００１７】
［請求項４の発明］
収納容器が磁石により吸着されない合成樹脂等の非磁性体により形成されている場合には、収納容器における永久磁石を配設すべき位置に固定された磁性体に永久磁石を吸着保持させることができる。
【００１８】
［請求項５の発明］
永久磁石は一端を収納容器に固定した紐体を介して取り付けられているため、永久磁石を紛失するおそれがない。また、該永久磁石を鉄等の磁性体により形成された家具等の垂直面に吸着保持させることにより、ステープラー針抜取り装置を該垂直面に取り付けておくことも可能である。図７参照。
【００１９】
［請求項６の発明］
複数個の爪片を相互に異なる方向に備えさせ、各爪片の近傍には該爪片により抜き取られたステープラー針を収納容器内に入れるための入口透孔をそれぞれ形成しているため、壁等の垂直面に打ち込まれたステープラー針を相互に異なる複数の方向のいずれからも抜き取ることができる。例えば、壁等の垂直面に打ち込まれたステープラー針を上下いずれからも、或いは左右いずれからも抜き取ることができる。
【発明を実施するための最良の形態】
【００２０】
符号１に示すものは、ステープラー針３を収納するための収納容器である。収納容器１の形状は随意である。
【００２１】
収納容器１にはステープラー針３を抜き取るための爪片５を備えさせる。
【００２２】
収納容器１における爪片５の近傍には該爪片５により抜き取られたステープラー針３を収納容器１内に入れるための入口透孔７を形成する。
【００２３】
図１、図５に示す事例においては、収納容器１には２個の爪片５、５を相互に異なる方向に備えさせ、各爪片５の近傍には該爪片５により抜き取られたステープラー針３を収納容器１内に入れるための入口透孔７をそれぞれ形成している。爪片５と入口透孔７は、それぞれ３個以上備えさせてもよい。
【００２４】
収納容器１にはステープラー針３を取り出すための開閉自在の取出し口９を設ける。符号１１に示すものは取出し口９に取り付けられた開閉自在の蓋である。
【００２５】
更に、収納容器１には該収納容器１内に入ったステープラー針３を該収納容器１内に保持するための保持手段を備えさせる。
【００２６】
図１、図２に示す事例においては、前記保持手段として、収納容器１内に入ったステープラー針３が入口透孔７に戻ることを防止するための仕切板１３を該収納容器１内に配設する。
【００２７】
図１に示す仕切板１３は、入口透孔７から収納容器１内に入ったステープラー針３が通過する通路１５を形成し、該通路１５の内側端１５ａを狭くすることにより、ステープラー針３が入口透孔７に戻ることを防止するようにしたものである。因みに、壁等の垂直面に打ち込まれたステープラー針３を抜き取っている際には、通路１５の内側端１５ａは通路１５の下端となる。
【００２８】
更に、図１〜図４に示す事例においては、前記保持手段として、収納容器１内に入ったステープラー針３を吸着する永久磁石１７を該収納容器１に着脱自在に配設している。
【００２９】
図１〜図３、図１０における永久磁石１７ａは、一端２１ａを収納容器１に固定した紐体２１を介して、永久磁石保持室１９内に取出し自在に配設されている。符号１８に示すものは永久磁石保持室１９内に固定された鉄片等の磁性体である。永久磁石１７ａは該磁性体１８により永久磁石保持室１９内に保持されている。
【００３０】
図１〜図４における永久磁石１７ｂは、一端２１ａを収納容器１に固定した紐体２１を介して、鉄片等の磁性体２３に着脱自在に取り付けられている。
【００３１】
鉄片等の磁性体２３は、収納容器１における永久磁石１７を配設すべき位置に固定される。
【００３２】
図３における符号２５に示すものはフックである。フック２５はステープラー針抜取り装置を壁等の垂直面２７に係止するために使用される。
【００３３】
符号２９に示すものは垂直面２７の表面材であり、符号３１に示すものは被止着物である。
【００３４】
図８は、ステープラー針３の本体部３ａと脚部３ｂ、３ｂとの内側に爪片５を挿入してステープラー針抜取り装置を抉じている状態を示す。ステープラー針３は爪片５と収納容器１における爪片５に臨む部分１ａとにより挟持された状態で確実に抜かれる。このとき、ステープラー針３は爪片１と該部分１ａとにより挟持されているため、ステープラー針３が飛ぶおそれはない。
【図面の簡単な説明】
【００３５】
【図１】本発明によるステープラー針抜取り装置の一例の使用状態を示す断面図である。
【図２】同上ステープラー針抜取り装置の斜視図である。
【図３】本発明によるステープラー針抜取り装置の別の一例の使用状態を示す断面図である。
【図４】同上ステープラー針抜取り装置の斜視図である。
【図５】図１、図２のステープラー針抜取り装置における爪片と入口透孔とを示す断面図である。
【図６】図３、図４のステープラー針抜取り装置における爪片と入口透孔とを示す断面図である。
【図７】永久磁石によりステープラー針抜取り装置を垂直面に取り付けた状態を示す側面図である。
【図８】ステープラー針抜取り装置によりステープラー針を抉じている状態を概略的に示す正面図である。
【図９】爪片と入口透孔とステープラー針とを概略的に示す断面図である。
【図１０】永久磁石保持室内の永久磁石を示す断面図である。
【符号の説明】
【００３６】
１  収納容器
１ａ  爪片に臨む部分
３  ステープラー針
３ａ  本体部
３ｂ  脚部
５  爪片
７  入口透孔
９  取出し口
１１  蓋
１３  仕切板
１５  通路
１５ａ  内側端
１７  永久磁石
１７ａ  永久磁石
１７ｂ  永久磁石
１８  磁性体
１９  永久磁石保持室
２１  紐体
２１ａ  一端
２３  磁性体
２５  フック
２７  垂直面
２９  表面材
３１  被止着物
【図１】
2008100291.tif 000003
【図２】
2008100291.tif 000004
【図３】
2008100291.tif 000005
【図４】
2008100291.tif 000006
【図５】
2008100291.tif 000007
【図６】
2008100291.tif 000008
【図７】
2008100291.tif 000009
【図８】
2008100291.tif 000010
【図９】
2008100291.tif 000011
【図１０】
2008100291.tif 000012